(57)【要約】【課題】高倍速化に対応させるために対物レンズアクチュエータのワイヤをハの字状に配置した場合に、安定して半田付けできるようにすることで、性能の安定と性能の向上とを実現する光ピックアップ装置を提供することである。【解決手段】対物レンズ１７、２１と、対物レンズ１７、２１を保持するレンズホルダ３１と、レンズホルダ３１の両側面に貼着された一対のワイヤ固定基板３７ａ、３７ｂと、ハの字型に配置されるようにワイヤ固定基板３７ａ、３７ｂに半田付けされた複数のサスペンションワイヤ３２とを備えた対物レンズアクチュエータ３０を搭載した光ピックアップ装置において、ワイヤ固定基板３７ａ、３７ｂ表面を自身に固定されるサスペンションワイヤ３２と平行に配置した構成とする。【選択図】図３
2013004144.tif 000002
【特許請求の範囲】
【請求項１】
対物レンズと、該対物レンズを保持するレンズホルダと、該レンズホルダの両側面に貼着された一対のワイヤ固定基板と、ハの字型に配置されるように各ワイヤ固定基板に半田付けされた複数のサスペンションワイヤとを備えた対物レンズアクチュエータを搭載した光ピックアップ装置において、
前記ワイヤ固定基板表面を自身に固定される前記サスペンションワイヤと平行に配置したことを特徴とする光ピックアップ装置。
【請求項２】
前記レンズホルダの前記ワイヤ固定基板を貼着する部分を、該ワイヤ固定基板に固定される前記サスペンションワイヤと平行に形成したことを特徴とする請求項１記載の光ピックアップ装置。
【請求項３】
前記レンズホルダの前記ワイヤ固定基板を貼着する部分を、階段状に形成したことを特徴とする請求項１記載の光ピックアップ装置。
【請求項４】
前記ワイヤ固定基板は厚み方向にテーパーを有することを特徴とする請求項１記載の光ピックアップ装置。
【請求項５】
各ワイヤ固定基板に前記サスペンションワイヤが３本ずつ固定されることを特徴とする請求項１〜４の何れかに記載の光ピックアップ装置。
【発明の詳細な説明】
【技術分野】
【０００１】
本発明はハの字型に配置されるように各ワイヤ固定基板に半田付けされた複数のサスペンションワイヤを備えた対物レンズアクチュエータを搭載した光ピックアップ装置に関する。
【背景技術】
【０００２】
近年、ＢＤ（Blu-ray Disc）やＤＶＤ等の光ディスクの再生／記録を行う光ディスク装置において高倍速化の要請が増しており、光ディスク装置に搭載される光ピックアップ装置も高倍速化に対応させる必要が出てきている。
【０００３】
この光ピックアップ装置を高倍速化、つまり高帯域化に対応させるために、対物レンズを有する可動部を揺動可能に支持するワイヤを備えた構成においては、ワイヤの配置を工夫するなどの技術が提案されている。
【０００４】
例えば特許文献１には、レンズホルダ等を搭載した可動部と、固定ブロックと、固定部接続用基板と、から成り、可動部をフォーカシング方向とトラッキング方向へ進退可能に支持する固定部と、可動部と固定部とを接続する４本の支持用ワイヤであって、各支持ワイヤのワイヤ間隔が可動部端よりも固定部端をハの字型に拡開させたもの、とを備えた二軸レンズアクチュエータにおいて、各支持ワイヤと、固定部接続用基板のワイヤ接続面とが直交するように、固定部接続用基板を湾曲させた構成が開示されている。
【０００５】
また特許文献２には、対物レンズを有する可動部をワイヤを介して支持ベース側に変位可能に懸架支持する対物レンズ支持装置に用いられ、支持ベース側にワイヤの延在方向に板面を向けて配設されてワイヤを接続するワイヤ接続基板であって、ワイヤの延在方向とほぼ平行な側面に形成され、可動部側に形成される第１ワイヤ接続ランドとほぼ同一方向を向いた第２ワイヤ接続ランドを有する構成が開示されている。
【０００６】
また特許文献３には、対物レンズが取り付けられたレンズ枠を４本のワイヤ状弾性部材で支持基体に支持させる対物レンズ支持装置において、ワイヤ状弾性部材のうち左右のワイヤ状弾性部材どうしは、非平行で且つ対物レンズ中心及び回動中心を通る垂直な平面に対して対称となるように、互いの先端部に向かって漸次接近した状態で配置され、支持基体とレンズ枠に固定され、これら左右のワイヤ状弾性部材の延長線上の交点は、対物レンズの中心とレンズ枠の回転中心との間に位置している構成が開示されている。
【０００７】
また特許文献４には、固定された本体と、可動部と、本体と可動部を接続する二対の平行な線状支持体とより成り、二対の平行な線状支持帯の各対が非平行に配設される光学系支持装置が開示されている。
【先行技術文献】
【特許文献】
【０００８】
【特許文献１】特開２００３−２７２１９３号公報
【特許文献２】特開２００１−２３２０６号公報
【特許文献３】特開２００３−１２３２８９号公報
【特許文献４】特開昭６０−１９７９４２号公報
【発明の概要】
【発明が解決しようとする課題】
【０００９】
上記の特許文献１、３、４のように、ワイヤをハの字状に配置すると、高帯域化のために低弾性係数のワイヤを用いても、ロール方向のねじり剛性を確保でき、ロール方向への回転運動により生じる光軸の傾きを抑制することができる。
【００１０】
しかしながら、これら特許文献１、３、４では半田付けの安定性に関しては触れられていない。半田量が安定しないと、ワイヤの位置や固定が不安定になり、性能悪化や性能のばらつきに繋がる。一方、上記の特許文献２では半田付けの作業性の向上に関して記載されているが、半田付けの安定性については触れられておらず、高倍速化のために必要なワイヤをハの字状に配置することについても考慮されていない。
【００１１】
本発明は、高倍速化に対応させるために対物レンズアクチュエータのワイヤをハの字状に配置した場合に、安定して半田付けできるようにすることで、性能の安定と性能の向上とを実現する光ピックアップ装置を提供することを目的とする。
【課題を解決するための手段】
【００１２】
上記目的を達成するために本発明は、対物レンズと、該対物レンズを保持するレンズホルダと、該レンズホルダの両側面に貼着された一対のワイヤ固定基板と、ハの字型に配置されるように各ワイヤ固定基板に半田付けされた複数のサスペンションワイヤとを備えた対物レンズアクチュエータを搭載した光ピックアップ装置において、前記ワイヤ固定基板表面を自身に固定される前記サスペンションワイヤと平行に配置したことを特徴とする。
【００１３】
上記の光ピックアップ装置において、前記ワイヤ固定基板表面を自身に固定される前記サスペンションワイヤと平行に配置するために、例えば、前記レンズホルダの前記ワイヤ固定基板を貼着する部分を、該ワイヤ固定基板に固定される前記サスペンションワイヤと平行に形成することが好ましい。
【００１４】
また上記の光ピックアップ装置において、前記ワイヤ固定基板表面を自身に固定される前記サスペンションワイヤと平行に配置するために、例えば、前記レンズホルダの前記ワイヤ固定基板を貼着する部分を、階段状に形成してもよい。
【００１５】
また上記の光ピックアップ装置において、前記ワイヤ固定基板表面を自身に固定される前記サスペンションワイヤと平行に配置するために、例えば、前記ワイヤ固定基板は厚み方向にテーパーを有するようにしてもよい。
【００１６】
また上記の光ピックアップ装置において、各ワイヤ固定基板に前記サスペンションワイヤが３本ずつ固定される構成としてもよい。
【発明の効果】
【００１７】
本発明によると、ワイヤ固定基板の表面が自身に固定されるサスペンションワイヤと平行であるため、サスペンションワイヤを少量の半田で固定することができ、半田を一定量（同量）に保ちやすい。その結果、各サスペンションワイヤの位置や固定にばらつきがなくなり、性能悪化や性能のばらつきがなくなる。すなわち、高倍速化に対応させるためにサスペンションワイヤをハの字状に配置した場合に、サスペンションワイヤの半田付けが安定するので、対物レンズアクチュエータ、さらには光ピックアップ装置の性能の安定と性能の向上とに繋がる。
【図面の簡単な説明】
【００１８】
【図１】本発明の一実施形態の光ピックアップ装置の外観構成を示す概略平面図である。
【図２】本発明の一実施形態の光ピックアップ装置の光学構成を示す概略平面図である。
【図３】本発明の一実施形態の光ピックアップ装置が備える対物レンズアクチュエータの概略斜視図である。
【図４】図３の対物レンズアクチュエータの平面図である。
【図５】図３の対物レンズアクチュエータの右側面図である。
【図６】他の形態の対物レンズアクチュエータのワイヤ固定基板付近を拡大した平面図である。
【図７】他の形態の対物レンズアクチュエータのワイヤ固定基板付近を拡大した平面図である。
【発明を実施するための形態】
【００１９】
以下、本発明の一実施形態の光ピックアップ装置について、図面を参照しながら説明する。なお、本実施形態の光ピックアップ装置は、ＢＤ、ＤＶＤ、ＣＤといった３種類の規格の光ディスクに対して情報の読み取りや書き込みを行える構成となっている。
【００２０】
図１は、本実施形態の光ピックアップ装置１の外観構成を示す概略平面図である。なお、図１に示される光ピックアップ装置１で光ディスクの情報の読み取り等を行う場合、光ディスクは紙面手前側に配置されることになる。
【００２１】
光ディスク装置（光ディスクの再生や記録を行うための装置）に搭載されることになる光ピックアップ装置１は、ピックアップベース１０が光ディスク装置内に配置される２本のガイドシャフトＧＳに摺動可能に支持されることで、光ディスクの半径方向（ラジアル方向）に移動可能とされる。なお、ガイドシャフトＧＳによるピックアップベース１０の支持は、ピックアップベース１０の左右の端部に設けられる軸受け部１０ａ、１０ｂを使用して行われる。
【００２２】
ピックアップベース１０には、光ディスクに記録される情報を読み取ったり、光ディスクに情報を書き込んだりする上で必要となる各種の部材が搭載されている。この各種の部材には、光源となる半導体レーザ１１、１８（後述の図２参照）、対物レンズ１７、２１を含む各種の光学部材、光検出器２３、対物レンズ１７、２１を駆動させる対物レンズアクチュエータ３０、及び、半導体レーザ１１、１８や対物レンズアクチュエータ３０等を駆動させるために必要となる各種の回路が形成されるプリント基板４０が含まれる。
【００２３】
なお、半導体レーザ１１、１８や後述の光学部材の一部はピックアップベース１０の内部に内蔵される。対物レンズアクチュエータ３０は、その全体がピックアップベース１０内にほぼ埋め込まれるようにして取り付けられており、対物レンズアクチュエータ３０に搭載される対物レンズ１７、２１は外部に露出している。プリント基板４０は、ピックアップベース１０の裏面側（光ディスクに対向する面の反対側）に取り付けられる。
【００２４】
また、ピックアップベース１０には、半導体レーザ１１、２８で発生する熱を放熱するために、ヒートシンク５０が取り付けられている。このヒートシンク５０は、ピックアップベース１０の表面１０ｄ（光ディスクに対向する面）を覆うように、ピックアップベース１０に取り付けられる。なお、対物レンズアクチュエータ３０はヒートシンク５０に覆われることなく露出している。
【００２５】
図２は、本実施形態の光ピックアップ装置１の光学構成を示す概略平面図である。光ピックアップ装置１には、第１の半導体レーザ１１から出射される光を光ディスクの情報記録面に導くとともに、情報記録面で反射される反射光（戻り光）を光検出器２３に導く、ＢＤ用の光路が形成されている。また、光ピックアップ装置１には、第２の半導体レーザ１８から出射される光を光ディスクの情報記録面に導くとともに、情報記録面で反射される反射光（戻り光）を光検出器２３に導く、ＤＶＤ及びＣＤ用の光路が形成されている。
【００２６】
なお、光ピックアップ装置１においては、複数の光学部材が、ＢＤ用の光路と、ＤＶＤ及びＣＤ用の光路とで共用される構成となっている。このような構成を採用しているため、光ピックアップ装置１は、ＢＤ、ＤＶＤ、及び、ＣＤに対応する光ピックアップ装置を少ない部品点数で形成可能となっている。
【００２７】
まず、ＢＤ用の光路について説明する。第１の半導体レーザ１１は、ＢＤ用のレーザ光（例えば波長４０５ｎｍ帯のレーザ光）を出射可能となっている。この第１の半導体レーザ１１が配置される位置は、図１においては破線ＤＬ１で示す位置が対応する。
【００２８】
第１の半導体レーザ１１から出射されたレーザ光は、回折素子１２によって主光と２つの副光とに分けられる。回折素子１２を経たレーザ光は偏光ビームスプリッタ１３によって反射され、１／４波長板１４及びコリメートレンズ１５を透過する。コリメートレンズ１５を透過したレーザ光は、第１の立ち上げミラー１６によって反射されて、第１の立ち上げミラー１６の上方にある第１の対物レンズ１７へと至る。
【００２９】
第１の対物レンズ１７は、入射したレーザ光を光ディスクの情報記録面に集光する機能を有する。第１の対物レンズ１７によって情報記録面に集光されたレーザ光は、情報記録面で反射される。この反射光（戻り光）は、第１の対物レンズ１７を通過後、第１の立ち上げミラー１６で反射され、コリメートレンズ１５、１／４波長板１４、偏光ビームスプリッタ１３、ビームスプリッタ１９を順に透過する。そして、ビームスプリッタ１９を透過した戻り光は、センサーレンズ２２によって非点収差を与えられて光検出器２３の所定の受光領域に集光される。
【００３０】
光検出器２３は、受光した光信号を電気信号に変換する光電変換手段として機能する。光検出器２３から出力された電気信号は図示しない信号処理部に送られ、この信号処理部で、再生信号、フォーカスエラー（ＦＥ）信号、トラッキングエラー（ＴＥ）信号等が生成される。
【００３１】
次に、ＤＶＤ及びＣＤ用の光路について説明する。第２の半導体レーザ１８は、ＤＶＤ用のレーザ光（例えば波長６５０ｎｍ帯のレーザ光）とＣＤ用のレーザ光（例えば波長７８０ｎｍ帯のレーザ光）とを切り換えて出射可能になっている。このようなレーザ光源は、例えばモノリシックタイプ或いはハイブリッドタイプの２波長レーザによって構成できる。なお、この第２の半導体レーザ１８が配置される位置は、図１においては破線ＤＬ２で示す位置が対応する。
【００３２】
第２の半導体レーザ１８から出射されたレーザ光は、ビームスプリッタ１９によって反射され、その後、偏光ビームスプリッタ１３、１／４波長板１４、コリメートレンズ１５、及び、第１の立ち上げミラー１６を順に透過する。第１の立ち上げミラー１６を透過したレーザ光は、第２の立ち上げミラー２０によって反射されて、第２の立ち上げミラー２０の上方にある第２の対物レンズ２１へと至る。
【００３３】
なお、偏光ビームスプリッタ１３は、ＢＤ用のレーザ光に作用する光学部材であり、ＤＶＤ用のレーザ光及びＣＤ用のレーザ光は、偏光状態に関係なく透過する。また、第１の立ち上げミラー１６はダイクロイックミラーであり、ＢＤ用のレーザ光は反射されるが、ＤＶＤ用のレーザ光及びＣＤ用のレーザ光は透過可能となっている。
【００３４】
第２の対物レンズ２１は、入射したレーザ光を光ディスクの情報記録面に集光する機能を有する。第２の対物レンズ２１によって情報記録面に集光されたレーザ光は、情報記録面で反射される。この反射光（戻り光）は、第２の対物レンズ２１を通過後、第２の立ち上げミラー２０で反射され、第１の立ち上げミラー１６、コリメートレンズ１５、１／４波長板１４、偏光ビームスプリッタ１３、ビームスプリッタ１９を順に透過する。そして、ビームスプリッタ１９を透過した戻り光は、センサーレンズ２２によって非点収差を与えられて光検出器２３の所定の受光領域に集光される。
【００３５】
ＢＤ対応の場合と同様に、光検出器２３から出力された電気信号は図示しない信号処理部に送られ、この信号処理部で、再生信号、ＦＥ信号、ＴＥ信号等が生成される。
【００３６】
なお、コリメートレンズ１５は、図示しないレンズ駆動機構によって、その光軸方向（図２に矢印で示す方向）に移動可能となっている。そして、コリメートレンズ１５の位置は、光ディスクの種類やレイヤージャンプ等に応じて適宜移動される。このようにコリメートレンズ１５を移動可能とするのは、対物レンズ１７、２１に入射するレーザ光の収束・発散度合いを調節して、球面収差の影響を適切に抑制できるようにするためである。
【００３７】
また、第１の対物レンズ１７及び第２の対物レンズ２１は、ピックアップベース１０に取り付けられる対物レンズアクチュエータ３０（図１参照）に搭載された状態で、ピックアップベース１０に搭載されることになる。対物レンズアクチュエータ３０は、光ピックアップ装置１に備えられる２つの対物レンズ１７、２１をフォーカス方向（図１及び図２においては紙面に垂直な方向が該当）及びトラッキング方向（図１及び図２においては上下方向が該当）に移動可能とする装置である。
【００３８】
光ピックアップ装置１においては、情報の読み取りや書き込みを行う際に、対物レンズ１７、２１の焦点位置が常に光ディスクの情報記録面に合うようにフォーカシング制御を行う必要がある。また、光ピックアップ装置１においては、情報の読み取りや書き込みを行う際に、対物レンズ１７、２１によって光ディスクの情報記録面に集光される光スポットの位置が、光ディスクのトラックに常に追随するようにトラッキング制御を行う必要がある。対物レンズアクチュエータ３０は、例えば、これらフォーカシング制御及びトラッキング制御を行う際に駆動される。
【００３９】
対物レンズアクチュエータ３０は、対物レンズ１７、２１を保持するレンズホルダ３１（図１参照）を有する可動部３３（図１参照）を備え、レンズホルダ３１をサスペンションワイヤ３２（図１参照）で揺動可能に支持する構成のものである。そして、コイル及び磁石を利用して発生させた力でレンズホルダ３１（すなわち対物レンズ１７、２１）を動かすものである。
【００４０】
次に、以上のように構成される光ピックアップ装置１の特徴的な構成について説明する。光ピックアップ装置１においては、対物レンズアクチュエータ３０に関して特徴を有する。
【００４１】
図３は、本実施形態の光ピックアップ装置１が備える対物レンズアクチュエータ３０の概略斜視図であり、図４は、図３の対物レンズアクチュエータ３０の平面図、図５は、図３の対物レンズアクチュエータ３０の右側面図である。
【００４２】
図３に示すように、対物レンズアクチュエータ３０は、大まかには可動部３３と、可動部３３と６本のサスペンションワイヤ３２で接続された固定部３４とで構成される。固定部３４からは各サスペンションワイヤ３２を通じて可動部３３のコイルに給電している。本実施形態では６本のサスペンションワイヤ３２のうち、２本がトラッキング用、４本がフォーカス及びチルト用である。なお、サスペンションワイヤ３２は最低限、トラッキング用に２本とフォーカス用に２本の計４本あれば足りる。
【００４３】
また可動部３３は、対物レンズ１７、２１と、レンズホルダ３１と、トラッキング用コイル３５ａ〜３５ｄと、フォーカス用コイル３６ａ、３６ｂと、一対のワイヤ固定基板３７ａ、３７ｂとを備えている。
【００４４】
レンズホルダ３１は、対物レンズ１７、２１を保持する保持部３１ａと、保持部３１ａの短手方向両端からそれぞれ対物レンズ１７、２１の光軸方向に延設された脚部３１ｂ、３１ｃとを樹脂で一体成型したブリッジ形状の部材である。またレンズホルダ３１は、平面視では略十字形状である。
【００４５】
保持部３１ａは、脚部３１ｂ、３１ｃの配置と略直角に対物レンズ１７、２１を配置している。脚部３１ｂ、３１ｃは、保持部３１ａの両端である側面から保持部３１ａよりも下方（対物レンズ１７、２１と反対側）に延びた筒状の部材である。脚部３１ｂ、３１ｃの外側面には、トラッキング用コイル３５ａ〜３５ｄと、サスペンションワイヤ３２を半田付けするためのワイヤ固定基板３７ａ、３７ｂとが設けられている。
【００４６】
図４に示すように、平面視で左右のサスペンションワイヤ３２がハの字型に配置されており、脚部３１ｂ、３１ｃのワイヤ固定基板３７ａ、３７ｂを固定する基板設置部３１ｄ、３１ｅは、それぞれのワイヤ固定基板３７ａ、３７ｂに固定されるサスペンションワイヤ３２と平行なテーパー形状となっている。そして、この基板設置部３１ｄ、３１ｅにそれぞれ平板状のワイヤ固定基板３７ａ、３７ｂが接着剤で貼着されている。接着剤としては、例えば、エポキシ系の熱硬化接着剤を用いることができる。
【００４７】
これにより、基板設置部３１ｄ、３１ｅと平行にワイヤ固定基板３７ａ、３７ｂの表面が配置される。ワイヤ固定基板３７ａ、３７ｂには複数のランド３８が形成されており、これらのランド３８にサスペンションワイヤ３２が半田付けされる。したがって、ワイヤ固定基板３７ａ、３７ｂの表面が自身に固定されるサスペンションワイヤ３２と平行に配置されることになる。
【００４８】
このように、ワイヤ固定基板３７ａ、３７ｂの表面が自身に固定されるサスペンションワイヤ３２と平行であるため、ランド３８に対してサスペンションワイヤ３２を平行に設置することになる。その結果、ランド３８にサスペンションワイヤ３２を半田付けする際、ランド３８とサスペンションワイヤ３２との間に傾斜による隙間が生じない。
【００４９】
したがって、どのサスペンションワイヤ３２も少量の半田で固定することができ、半田を一定量（同量）に保ちやすい。その結果、各サスペンションワイヤ３２の位置や固定にばらつきがなくなり、性能悪化や性能のばらつきがなくなる。すなわち、高倍速化に対応させるためにサスペンションワイヤ３２をハの字状に配置した場合に、サスペンションワイヤ３２の半田付けが安定するので、対物レンズアクチュエータ３０、さらには光ピックアップ装置１の性能の安定と性能の向上とに繋がる。
【００５０】
次に、ワイヤ固定基板とサスペンションワイヤとを平行に配置するための他の形態について説明する。図６は、他の形態の対物レンズアクチュエータのワイヤ固定基板付近を拡大した平面図である。上記の対物レンズアクチュエータ３０と同じ部材については同符号を付してその詳細な説明を省略する。
【００５１】
上記の対物レンズアクチュエータ３０と異なる点は、レンズホルダ３１のワイヤ固定基板３７ａ、３７ｂを固定する基板設置部３１ｄ、３１ｅを、階段状に形成した点である。図６ではサスペンションワイヤ３２がハの字型に拡がる方向に沿って、２段の階段が上るように形成されている。基板設置部３１ｄとワイヤ固定基板３７ａとは接着剤（不図示）によって接着されている。
【００５２】
このように、基板設置部３１ｄ、３１ｅを階段状にすることでもワイヤ固定基板３７ａ、３７ｂとサスペンションワイヤ３２とを平行に配置でき、上記の形態と同様の効果を得ることができる。さらにレンズホルダ３１を成型する金型の抜き方向をあまり考慮しなくてもよいので設計が容易になる。
【００５３】
次に、ワイヤ固定基板とサスペンションワイヤとを平行に配置するためのさらに他の形態について説明する。図７は、他の形態の対物レンズアクチュエータのワイヤ固定基板付近を拡大した平面図である。上記の対物レンズアクチュエータ３０と同じ部材については同符号を付してその詳細な説明を省略する。
【００５４】
上記の対物レンズアクチュエータ３０と異なる点は、ワイヤ固定基板３７ａ、３７ｂを、厚み方向にテーパーを有する形状にした点である。図７ではサスペンションワイヤ３２がハの字型に拡がる方向に沿って、ワイヤ固定基板３７ａの厚みが徐々に厚く形成されている。なお、基板設置部３１ｄとワイヤ固定基板３７ａとは接着剤（不図示）によって接着されている。
【００５５】
このように、ワイヤ固定基板３７ａ、３７ｂが厚み方向にテーパーを有することでもワイヤ固定基板３７ａ、３７ｂとサスペンションワイヤ３２とを平行に配置でき、上記の形態と同様の効果を得ることができる。さらにレンズホルダ３１を成型する金型の抜き方向をあまり考慮しなくてもよいので設計が容易になる。
【００５６】
上記の実施形態では、光ピックアップ装置１が３種類の規格の光ディスクに対応する構成としたが、これはあくまでも例示である。よって、光ピックアップ装置が対応可能な光ディスクの種類や、使用する光学構成が本実施形態の構成から変更されても、本発明が広く適用できることは言うまでもない。
【産業上の利用可能性】
【００５７】
本発明は、高倍速化が要求される光ピックアップ装置に好適に利用できる。
【符号の説明】
【００５８】
１  光ピックアップ装置
１７、２１  対物レンズ
３０  対物レンズアクチュエータ
３１  レンズホルダ
３１ａ  保持部
３１ｂ、３１ｃ  脚部
３１ｄ、３１ｅ  基板設置部
３２  サスペンションワイヤ
３７ａ、３７ｂ  ワイヤ固定基板
【図１】
2013004144.tif 000003
【図２】
2013004144.tif 000004
【図３】
2013004144.tif 000005
【図４】
2013004144.tif 000006
【図５】
2013004144.tif 000007
【図６】
2013004144.tif 000008
【図７】
2013004144.tif 000009